(57)【要約】      （修正有）【課題】ストラップと一体化させる事により、携帯電話と常に持ち運びが可能になり、音楽携帯に収録された音楽を、ＦＭラジオがあればどこでもヘッドホン（イヤホン）からの音楽以外に大音量で楽しめるＦＭトランスミッターを提供する。【解決手段】ストラップ一体型ＦＭトランスミッターは、携帯電話のストラップ取付部１３に取付用のヒモ４を接続し、携帯電話の音声出力端子部１４にＦＭトランスミッター部をフレキシブルケーブル５と音声入力用専用端子６にて接続した構成である。【選択図】図３
0003147893.tif 000002
【実用新案登録請求の範囲】
【請求項１】
携帯電話本体（１２）に設けられたストラップ取付部（１３）と前記取付部（１３）に接続される取付用ヒモ（４）・ストラップ部（２）・ＦＭトランスミッッター部（３）が一体化された事を特長とするストラップ一体型  ＦＭトランスミッター。
【請求項２】
前記ＦＭトランスミッター部（３）には前記携帯電話本体（１２）に設けられた音声出力端子部（１４）と接続される柔軟なフレキシブルケーブル（５）を設けており、前記フレキシブルケーブル（５）には音声入力用専用端子（６）が設けられている事を特長とする。請求項１に記載されたストラップ一体型ＦＭトランスミッター。
【請求項３】
前記ＦＭトランスミッター部（３）には、音声出力用端子（７）が設けられた事を特長とする請求項１に記載された、ストラップ一体型ＦＭトランスミッター。
【請求項４】
前記ＦＭトランスミッター部（３）には、小型ボタン電池が内蔵され、小型ボタン電池交換用差込口（８）を設けた事を特長とする。  請求項１に記載された、ストラップ一体型ＦＭトランスミッター。
【請求項５】
前記ＦＭトランスミッター部（３）には、周波数設定用ダイヤル等（９）が設けられた事を特長とする。請求項１に記載された、ストラップ一体型ＦＭトランスミッター。
【請求項６】
前記ＦＭトランスミッター部（３）には、ＦＭ電波送信用アンテナ（１０）が設けられた事を特長とする。請求項１に記載された、ストラップ一体型ＦＭトランスミッター。
【考案の詳細な説明】
【技術分野】
【０００１】  本考案は、ストラップ一体型ＦＭトランスミッターに関し、特に携帯電話のストラップとＦＭトランスミッターを一体化する事により、携帯電話と一緒に常に持ち運ぶ車ができるようにする為の新規な改良に関する。
【背景の技術】
【０００２】  従来のＦＭトランスミッターは、作動する為に（携帯電話等に収録された音楽をコードレスでＦＭラジオで聴く為に）は、必ず電源が必要であった。一般的に電源供給の形態は図４から図９で示す構成であった。図４・５は車からの電源を利用する構成であり２種類の別々な形態である。図６は乾電池等のバッテリーを使用する構成である。図７は携帯電話ではないが、デジタルオーディオプレイヤーから出力される電源を利用する構成である。図８はＵＳＢ電源を利用する構成である。図９はＡＣ電源を利用する構成である。
【考案の開示】
【考案が解決しようとしている課題】
【０００３】  従来のＦＭトランスミッターは、以上のように構成されていたために、次のような課題が存在していた。
１  図４・５・８・９の構成では、別途電源との接続が必要であり、携帯電話等の本体      と一緒に持ち運んでも、電源が無い場合ＦＭトランスミッターが使用できなかった
２  図６の構成では、ＦＭトランスミッターの接続用ケーブル（１５）は携帯電話等の      音声出力端子（１４）に  接続される。この前記音声出力端子（１４）は音楽出力      のみ機能であり、携帯電話とＦＭトランスミッターを接続し一緒に持ち運びを行う      為の強度及び機能はなかった。
３  図７の構成では、デジタルオーディオプレイヤー（１６）とＦＭトランスミッター      （１７）を直接接続する構成であり、一緒に持ち運んだ場合、デジタルオーディオ      プレイヤーとＦＭトランスミッターを移動の際の衝撃等で破損及び故障する可能性      があった。
４  図７はデジタルオーディオプレイヤー（１６）からの給電の為、接続されたデジタ      ルオーディオプレイヤー（１６）の再生時間が減少する問題があり又、長時間使用      するには別途充電アダプター（図示せず）が必要であり、上記１と同じ課題があっ      た。
５  携帯電話等の音声出力部（１４）にＦＭトランスミッターを接続すると、特に携帯      電話の場合は音声出力部が一つしかなく、ＦＭトランスミッターを接続したままで      は、ヘッドホン・イヤホン等から携帯電話の音楽を楽しむ事ができなかった。
【課題の解決するための手段】
【０００４】  本考案によりストラップ一体型ＦＭトランスミッターは、取付用ヒモ（４）・ストラップ部（２）・ＦＭトランスミッター部（３）からなる構成であり、携帯電話機本体（１２）に設けられた取付部（１３）と前記取付部（１３）に取付用ヒモ（４）により接続された構成である。また前記携帯電話（１２）に設けられた音声出力端子部（１４）とフレキシブルケーブル（５）と音声入力用専用端子（６）を介して接続される構成である。またＦＭトランスミッター部（３）には音声出力端子（７）が設けられた構成である。またＦＭトランスミッター部（３）は省電力化されており小型ボタン電池にて稼働する構成である。
【考案の効果】
【０００５】  本装置は、以上のように構成する為に次のような効果が期待ができる。
すなわち、ストラップ部（２）とＦＭトランスミッターが一体化されている為、携帯電話等と一緒に容易に持ち運べるようになったことにより、ＦＭラジオさえあればどこでもコードレスで携帯電話等のの音楽を楽しむ事ができた。
また本装置は専用の取付ヒモ（４）を介して携帯電話（１２）に取り付ける為、本装置と携帯電話を一緒に持ち運んでも、個々に構成されており、携帯電話とＦＭトランスミッターを直接接続により機器の大型化及び硬直化（図６）により起こる可能性があった破損及び故障を防ぐ事が可能になった。
また本装置のＦＭトランスミッター部（３）に設けれた音声出力端子（７）により、ヘッドホン（イヤホン）等を使用して携帯電話等の音楽を楽しむ事が可能になった。
【考案を実施するための最良の形態】
【０００６】  本考案は、前記ストラップ部（２）・ＦＭトランスミッター部（３）・取付用ヒモ（４）を一体型化する事により、安全に携帯電話と一緒に持ち運びができ、ＦＭラジオが近くに有ればコードレスで、無ければヘッドホン（イヤホン）を使用して、携帯電話の音楽を楽しむ事を目的とする。
【実施例】
【０００７】  以下、図面と共に本考案によるストラップ型一体型ＦＭトランスミッターの好適な形態について説明する。
図１・２・３において、
前記本体（１）は、ストラップ部（２）・ＦＭトランスミッター部（３）・取付用ヒモ（４）からなる構成である。【０００８】  前記本体（１）には、前記携帯電話（１２）に設けれた前記取付部（１３）に接続する為のヒモ状の取付用コード（４）からなる構成である。【０００９】  前記本体（１）には、前記携帯電話（１２）に設置された前記音楽出力端子部（１４）と接続する為の音声入力用フレキシブルケーブル（５）からなる構成である。またその先端部（６）には平型アダプター・ミニプラグ等の携帯電等に接続可能な専用端子が設けられている構成である。【００１０】  前記ＦＭトランスミッター部（３）には、前記ヘッドホン（イヤホン）用出力端子（７）が設けられている構成である。【００１１】  前記ＦＭトランスミッター部（３）には、ＦＭラジオへ音楽等を電波で送信する為に必要な周波数設定用ダイヤル等（９）が設けられている構成である。【００１２】  前記ＦＭトランスミッター部（３）には、小型ボタン電池が内蔵され、それを交換する為の差し込み口等（８）が設けられている構成である。【００１３】  前記ＦＭトランスミッター部（３）には、送信用外部アンテナ（１０）を接続するアンテナ差込口（１１）が設けられている構成である。前記送信用アンテナ（１０）は使用状況により抜き差しができる構造となっている。また送信アンテナはＦＭトランスミッター部（３）に内蔵する事も可能である。【００１４】  前記本体（１）は、前記携帯電話（１２）に設置された前記取付部（１３）と前記ヒモ状の取付コード（４）により接続される事により、前記携帯電話（１２）と同時に持ち運びが可能になる。前記本体（１）は、前記携帯電話（１２）に設置された前記音楽出力端子部（１４）と音声入力用フレキシブルケーブル（５）とその先端部に設けられた前記先端部（６）を接続する事により、前記携帯電話（１２）から出力された音楽は前記ＦＭトランスミッター部（２）に入力され、周波数設定ダイヤル（９）を調整することにより、前記携帯電話より入力された音楽は車や家にあるＦＭラジオに電波にて出力する。（前記送信用外部アンテナ（１０）を使用する場合としない場合がある）そしてコードレスで携帯電話の音楽を楽しむ事ができる。前記ＦＭトランスミッター部（２）には、前記ヘッドホン（イヤホン）用入力端子（７）が設けられており、ＦＭトランスミッター機能を使用しないときは、ヘッドホン・イヤホン等を使用する事により、前記本体（１）と携帯電話（１２）が接続されたままでも、携帯電話の音楽を楽しむ事ができる。
【他の実体形態】
【００１５】  図２のような携帯電話以外に図６のような携帯音楽プレイヤー（デジタルオーディオプレイヤー）に接続する形態でもよい。
【図面の簡単な説明】
【００１６】
【図１】  本考案のによる、ストラップ一体型ＦＭトランスミッターを示す構成図である。
【図２】  携帯電話の図である
【図３】  本考案による、ストラップ一体型ＦＭトランスミッターを携帯電話に取付た図である。
【図４】  従来のＦＭトランスミッターの構成図である。
【図５】  従来のＦＭトランスミッターの構成図である。
【図６】  従来のＦＭトランスミッターの構成図である。
【図７】  従来のＦＭトランスミッターの構成図である。
【図８】  従来のＦＭトランスミッターの構成図である。
【図９】  従来のＦＭトランスミッターの構成図である。
【図１】
0003147893.tif 000003
【図２】
0003147893.tif 000004
【図３】
0003147893.tif 000005
【図４】
0003147893.tif 000006
【図５】
0003147893.tif 000007
【図６】
0003147893.tif 000008
【図７】
0003147893.tif 000009
【図８】
0003147893.tif 000010
【図９】
0003147893.tif 000011
【手続補正書】
【提出日】平成20年10月11日(2008.10.11)
【手続補正１】
【補正対象書類名】実用新案登録請求の範囲
【補正対象項目名】全文
【補正方法】変更
【補正の内容】
【実用新案登録請求の範囲】
【請求項１】
携帯電話本体（１２）に設けられたストラップ取付部（１３）と前記取付部（１３）に接続される取付用ヒモ（４）・ストラップ部（２）・ＦＭトランスミッッター部（３）が一体化された事を特長とするストラップ一体型ＦＭトランスミッター。
【請求項２】
前記ＦＭトランスミッター部（３）には前記携帯電話本体（１２）に設けられた音声出力端子部（１４）と接続される柔軟なフレキシブルケーブル（５）を設けており、前記フレキシブルケーブル（５）には音声入力用専用端子（６）が設けられている事を特長とする、請求項１に記載されたストラップ一体型ＦＭトランスミッター。
【請求項３】
前記ＦＭトランスミッター部（３）には、音声出力用端子（７）が設けられた事を特長とする、請求項１に記載されたストラップ一体型ＦＭトランスミッター。
【請求項４】
前記ＦＭトランスミッター部（３）には、小型ボタン電池が内蔵され、小型ボタン電池交換用差込口（８）を設けた事を特長とする、請求項１に記載されたストラップ一体型ＦＭトランスミッター。
【請求項５】
前記ＦＭトランスミッター部（３）には、周波数設定用ダイヤル等（９）が設けられた事を特長とする、請求項１に記載されたストラップ一体型ＦＭトランスミッター。
【請求項６】
前記ＦＭトランスミッター部（３）には、ＦＭ電波送信用アンテナ（１０）が設けられた事を特長とする、請求項１に記載されたストラップ一体型ＦＭトランスミッター。